【手続補正書】
【提出日】平成17年7月29日(2005.7.29)
【手続補正１】
【補正対象書類名】明細書
【補正対象項目名】特許請求の範囲
【補正方法】変更
【補正の内容】
【特許請求の範囲】
【請求項１】
給水源から供給される洗浄水を人体に噴出する衛生洗浄装置であって、
洗浄水を噴出するとともに噴出する洗浄水の広がり角度を変更可能な噴出手段と、
前記給水源から供給される洗浄水に周期的な圧力変動を与えつつ洗浄水を加圧して前記噴出手段から噴出させる加圧手段と、
前記噴出手段から噴出される洗浄水の広がり角度を制御する制御手段とを備えたことを特徴とする衛生洗浄装置
【請求項２】
前記噴出手段から噴出される洗浄水の広がり角度を設定するための広がり角度設定手段を備え、
前記広がり角度設定手段は、
洗浄水の広がり角度を段階的に変更可能なスイッチを備えたことを特徴とする請求項１記載の衛生洗浄装置
【請求項３】
前記噴出手段から噴出される洗浄水の広がり角度の連続的な拡大または縮小を繰り返す動作を指令する指令手段をさらに備え、
前記制御手段は、前記指令手段の指令に応答して前記噴出手段から噴出される洗浄水の広がり角度を変化させる請求項１または２記載の衛生洗浄装置
【請求項４】
前記制御手段は、
洗浄水広がり角度の拡大速度よりも縮小速度を小さくすることを特徴とする請求項３記載の衛生洗浄装置
【請求項５】
前記噴出手段は、
洗浄水を断面円状に噴出することを特徴とする請求項１〜４のいずれかに記載の衛生洗浄装置
【請求項６】
前記噴出手段は、
洗浄水を断面円環状に噴出することを特徴とする請求項１〜４のいずれかに記載の衛生洗浄装置
【請求項７】
前記噴出手段は、
噴出孔と、
前記加圧手段から供給される洗浄水を前記噴出孔に導く第１の流路と、
前記加圧手段から供給される洗浄水を前記噴出孔に導く第２の流路と、
前記第１の流路の洗浄水に回転流を生成する回転流生成手段と、
前記第１の流路および前記第２の流路に供給される洗浄水の流量を調整する流量調整手段とを含むことを特徴とする請求項５記載の衛生洗浄装置
【請求項８】
前記噴出手段は、
噴出孔と、
前記加圧手段から供給される洗浄水を前記噴出孔に導く流路と、
前記噴出孔内に移動可能に設けられた円錐状の外周面を有する可動部材とを有し、
前記制御手段は、前記可動部材を移動させる駆動手段を含むことを特徴とする請求項５記載の衛生洗浄装置
【請求項９】
前記噴出手段は、
噴出孔と、
前記加圧手段から供給される洗浄水を前記噴出孔に導く流路と、
前記噴出孔内に移動可能に設けられた逆円錐台状の外周面を有する可動部材とを有し、
前記制御手段は、前記可動部材を移動させる駆動手段を含むことを特徴とする請求項６記載の衛生洗浄装置
【請求項１０】
前記噴出手段は、
人体に洗浄水を噴出する人体洗浄ノズル装置を含むことを特徴とする請求項１〜９記載のいずれかの衛生洗浄装置
【請求項１１】
前記噴出手段は、
便器に洗浄水を噴出する便器洗浄ノズル装置を含むことを特徴とする請求項１〜１０記載のいずれかの衛生洗浄装置
【請求項１２】
前記制御手段は、
前記噴出手段から噴出される洗浄水の広がり角度を制御する電気的駆動部を含むことを特徴とする請求項１〜１１のいずれかに記載の衛生洗浄装置
【手続補正２】
【補正対象書類名】明細書
【補正対象項目名】発明の詳細な説明
【補正方法】変更
【補正の内容】
【発明の詳細な説明】
【０００１】
【発明の属する技術分野】
本発明は、人体の局部を洗浄する衛生洗浄装置に関する。
【０００２】
【従来の技術】
一般に、人体の局部を洗浄する衛生洗浄装置においては、人体に不快感を与えないようにするため洗浄に用いる洗浄水を適切な温度に調整する加熱装置が備えられている。このような加熱装置には、主に貯湯式加熱装置または瞬間式加熱装置がある。
【０００３】
貯湯式加熱装置を用いた衛生洗浄装置は、予め所定量の洗浄水を蓄えるとともに内蔵した加熱ヒータにより洗浄水を所定の温度に加熱する温水タンクを備え、人体の局部を洗浄する際に、予め温水タンク内で所定の温度に加熱した洗浄水を水道圧を利用するか若しくはポンプ等により圧送してノズルより噴出させる方法を採用している。
【０００４】
一方、瞬間式加熱装置を用いた衛生洗浄装置は、人体の局部を洗浄する際に、洗浄水を昇温速度に優れたセラミックヒータ等の加熱ヒータにより所定の温度に加熱し、水道圧を利用するか若しくはポンプ等により圧送してノズルより噴出させる方法を採用している。
【０００５】
そのため、瞬間式加熱装置を用いた衛生洗浄装置においては、予め洗浄水を所定の温度に維持し続ける必要がなく、使用時のみ加熱ヒータに電力を供給すればよいので、消費電力を抑制することができる。また、長時間の洗浄や、トイレの連続使用等により多量の洗浄水を人体の局部の洗浄に用いた際でも、洗浄水の温度が所定の温度以下に低下して人体に不快感を与えることを防止できる。
【０００６】
【発明が解決しようとする課題】
近年、衛生洗浄装置においては、使用者の好みに応じた洗浄を実現すべく各種機能が案出されている。例えば、使用者の好みに応じた洗浄を実現するためにノズルから噴出される洗浄水の水勢を調整する機能が設けられている。使用者は、自己の好みに応じてノズルから噴出される洗浄水の水勢を調整することができる。
【０００７】
しかしながら、貯湯式加熱装置を用いた衛生洗浄装置においては、洗浄水の流量を多くすることは可能であるが、洗浄水の流量が多いだけでは刺激が弱く、使用者の好みに応じた洗浄感は得られない。一方、瞬間式加熱装置を用いた衛生洗浄装置では、洗浄水の瞬間的な昇温が求められるため、使用者の局部に噴出する洗浄水の流量を多くすることが難しい。つまり、瞬間式加熱装置を用いた衛生洗浄装置においては、ノズルより噴出する洗浄水の流量が制限される。そのため、刺激が弱く、使用者の好みに応じた洗浄感が得られない。
【０００８】
本発明の目的は、少ない流量でも洗浄刺激効果が高く、かつ使用者の好みや体調に応じた洗浄感および洗浄力を得ることができる衛生洗浄装置を提供することである。
【０００９】
【課題を解決するための手段】
本発明に係る衛生洗浄装置は、給水源から供給される洗浄水を人体に噴出する衛生洗浄装置であって、洗浄水を噴出するとともに噴出する洗浄水の広がり角度を変更可能な噴出手段と、給水源から供給される洗浄水に周期的な圧力変動を与えつつ洗浄水を加圧して噴出手段から噴出させる加圧手段と、噴出手段から噴出される洗浄水の広がり角度を制御する制御手段とを備えるものである。
【００１０】
本発明に係る衛生洗浄装置においては、給水源から供給される洗浄水が加圧手段により周期的な圧力変動を与えられつつ加圧される。したがって、少ない流量でも洗浄刺激効果が高くなる。
【００１１】
また、噴出手段から噴出される洗浄水は広がり角度制御手段により広がり角度が制御されて人体に向けて噴出される。したがって、使用者は流量の調整だけではなく好みや体調に応じた種々の洗浄感および洗浄力を得ることができる。
【００１２】
噴出手段から噴出される洗浄水の広がり角度を設定するための広がり角度設定手段を備え、広がり角度設定手段は、洗浄水の広がり角度を段階的に変更可能なスイッチを備えてもよい。この場合、広がり角度設定手段の設定に基づいて噴出手段から噴出される洗浄水の広がり角度を段階的に制御することができる。したがって、使用者は洗浄水の広がり角度および洗浄面積を好みにより簡単に選択することができる。
【００１３】
噴出手段から噴出される洗浄水の広がり角度の連続的な拡大または縮小を繰り返す動作を指令する指令手段をさらに備え、制御手段は、指令手段の指令に応答して噴出手段から噴出される洗浄水の広がり角度を変化させてもよい。この場合、指令手段からの指令により噴出手段から噴出される洗浄水の広がり角度を連続的に拡大または縮小を繰り返すことができる。したがって、使用者は広範囲に渡って繰り返し洗浄することができる。
【００１４】
制御手段は、洗浄水広がり角度の拡大速度よりも縮小速度を小さくしてもよい。この場合、噴出手段から噴出される洗浄水の広がり角度は拡大速度よりも縮小速度の方が小さくなる。したがって、洗浄水が外側から内側に向かって汚れを落とすように作用し、被洗浄面の外周への汚れ飛散を防止することができる。
【００１５】
噴出手段は、洗浄水を断面円状に噴出してもよい。この場合、噴出手段から噴出される洗浄水の断面が円状となる。したがって、使用者は被洗浄面を円状に洗浄することができる。その結果、使用者は好みや体調に応じた種々の洗浄感を得ることができる。
【００１６】
噴出手段は、洗浄水を断面円環状に噴出してもよい。この場合、噴出手段から噴出される洗浄水の断面が円環状となる。したがって、使用者は被洗浄面を円環状に洗浄することができる。その結果、使用者は好みや体調に応じた種々の洗浄感を得ることができる。
【００１７】
噴出手段は、噴出孔と、加圧手段から供給される洗浄水を噴出孔に導く第１の流路と、加圧手段から供給される洗浄水を噴出孔に導く第２の流路と、第１の流路の洗浄水に回転流を生成する回転流生成手段と、第１の流路および第２の流路に供給される洗浄水の流量を調整する流量調整手段とを含んでもよい。
【００１８】
この場合、噴出手段の第１の流路および第２の流路を介して噴出孔より洗浄水を噴出させることができる。また、第１の流路と第２の流路とが別個に形成されるため、第１の流路および第２の流路を流れる洗浄水の流量をそれぞれ独立に変化させることができる。さらに、第１の流路において洗浄水の回転流を生成することができるため、噴出孔より分散旋回流を噴出させることができる。したがって、第１の流路および第２の流路を流れる洗浄水の流量を調整することにより使用者の体調や好みに応じて直線流および分散旋回流のいずれか一方、または直線流と分散旋回流との混合流を噴出させることができる。それにより、洗浄水の広がり角度および洗浄面積を変化させることができる。
【００１９】
噴出手段は、噴出孔と、加圧手段から供給される洗浄水を噴出孔に導く流路と、噴出孔内に移動可能に設けられた円錐状の外周面を有する可動部材とを有し、制御手段は、可動部材を移動させる駆動手段を含んでもよい。この場合、噴出孔内に設けた円錐状の可動部材が噴出孔から取り出されると洗浄水は可動部材の影響を受けずに直線流となる。また、可動部材が噴出孔に挿入されると洗浄水は可動部材の外周面に沿って噴出されるため、断面が円状の分散流となる。したがって、可動部材の位置により洗浄水の広がり角度が変化するとともに、洗浄水の密度が変化し、流量のみの調整とは異なる洗浄感が得られる。その結果、使用者は好みや体調に応じた種々の洗浄感および洗浄力を得ることができる。
【００２０】
噴出手段は、噴出孔と、加圧手段から供給される洗浄水を噴出孔に導く流路と、噴出孔内に移動可能に設けられた逆円錐台状の外周面を有する可動部材とを有し、制御手段は、可動部材を移動させる駆動手段を含んでもよい。
【００２１】
この場合、噴出孔内に設けた逆円錐台状の可動部材が噴出孔から取り出されると洗浄水は可動部材の影響を受けずに直線流となる。また、可動部材が噴出孔に挿入されると洗浄水は可動部材の外周面に沿って噴出されるため、断面が円環状の分散流となる。したがって、可動部材の位置により洗浄水の広がり角度が変化するとともに、洗浄水の密度が変化し、流量のみの調整とは異なる洗浄感が得られる。その結果、使用者は好みや体調に応じた種々の洗浄感および洗浄力を得ることができる。
【００２２】
噴出手段は、人体に洗浄水を噴出する人体洗浄ノズル装置を含んでもよい。この場合、人体の局部の洗浄面積を変化させることができる。
【００２３】
噴出手段は、便器に洗浄水を噴出する便器洗浄ノズル装置を含んでもよい。この場合、便器の洗浄面積を変化させることができる。したがって、便器の洗浄を効果的に行うことができる。
【００２４】
制御手段は、噴出手段から噴出される洗浄水の広がり角度を制御する電気的駆動部を含んでもよい。この場合、電気的駆動部により噴出手段から噴出される洗浄水の広がり角度を調整することができる。したがって、使用者は遠隔操作または自動で噴出手段から噴出される洗浄水の広がり角度を変化させることができる。
【００２５】
【発明の実施の形態】
以下、本発明の実施の形態に係る衛生洗浄装置について説明する。
【００２６】
（第１の実施の形態）
図１は第１の実施の形態に係る衛生洗浄装置を便器に装着した状態を示す斜視図である。
【００２７】
図１に示すように、便器６００上に衛生洗浄装置１００が装着される。タンク７００は、水道配管に接続されており、便器６００内に洗浄水を供給する。
【００２８】
衛生洗浄装置１００は、本体部２００、遠隔操作装置３００、便座部４００および蓋部５００により構成される。
【００２９】
本体部２００には、便座部４００および蓋部５００が開閉自在に取り付けられる。さらに、本体部２００には、ノズル部３０を含む洗浄水供給機構が設けられるとともに、制御部が内蔵されている。本体部２００の制御部は、後述するように遠隔操作装置３００により送信される信号に基いて、洗浄水供給機構を制御する。さらに、本体部２００の制御部は、便座部４００に内蔵されたヒータ、本体部２００に設けられた脱臭装置（図示せず）および温風供給装置（図示せず）等の制御も行う。
【００３０】
図２は図１の遠隔操作装置３００の一例を示す模式図である。
図２に示すように、遠隔操作装置３００は、複数のＬＥＤ（発光ダイオード）３０１、複数の調整スイッチ３０２、水勢変化スイッチ３０４、面積変化スイッチ３０３、おしりスイッチ３０５、刺激スイッチ３０６、停止スイッチ３０７、ビデスイッチ３０８、乾燥スイッチ３０９および脱臭スイッチ３１０を備える。
【００３１】
使用者により調整スイッチ３０２、面積変化スイッチ３０３、水勢変化スイッチ３０４、おしりスイッチ３０５、刺激スイッチ３０６、停止スイッチ３０７、ビデスイッチ３０８、乾燥スイッチ３０９および脱臭スイッチ３１０が押下操作される。それにより、遠隔操作装置３００は、後述する衛生洗浄装置１００の本体部２００に設けられた制御部に所定の信号を無線送信する。本体部２００の制御部は、遠隔操作装置３００より無線送信される所定の信号を受信し、洗浄水供給機構等を制御する。
【００３２】
例えば、使用者が、おしりスイッチ３０５またはビデスイッチ３０８を押下操作することにより図１の本体部２００のノズル部３０が移動して洗浄水が噴出する。刺激スイッチ３０６を押下操作することにより図１の本体部２００のノズル部３０から人体の局部に刺激を与える洗浄水が噴出される。停止スイッチ３０７を押下操作することによりノズル部３０からの洗浄水の噴出が停止する。
【００３３】
また、乾燥スイッチ３０９を押下操作することにより人体の局部に対して衛生洗浄装置１００の温風供給装置（図示せず）より温風が噴出される。脱臭スイッチ３１０を押下操作することにより衛生洗浄装置１００の脱臭装置（図示せず）により周辺の脱臭が行われる。
【００３４】
調整スイッチ３０２は、水勢調整スイッチ３０２ａ，３０２ｂ，３０２ｃ、洗浄面積調整スイッチ３０２ｄ，３０２ｅ，３０２ｆ、温度調整スイッチ３０２ｇ，３０２ｈおよびノズル位置調整スイッチ３０２ｉ，３０２ｊを含む。
【００３５】
使用者が、ノズル位置調整スイッチ３０２ｉ，３０２ｊを押下操作することにより図１の衛生洗浄装置１００の本体部２００のノズル部３０の位置が変化し、温度調整スイッチ３０２ｇ，３０２ｈを押下操作することにより、ノズル部３０より噴出される洗浄水の温度が変化する。また、水勢調整スイッチ３０２ａを押下操作することにより段階的にノズル部３０より噴出される洗浄水の水勢（圧力変動の態様）が変化し、水勢調整スイッチ３０２ｂ，３０２ｃを押下操作することにより連続的にノズル部３０より噴出される洗浄水の水勢（圧力変動の態様）が変化する。ここで、圧力変動の態様とは、圧力変動の周期、変動幅および中心圧力をいう。さらに、洗浄面積調整スイッチ３０２ｄを押下操作することにより段階的にノズル部３０より噴出される洗浄水の噴出形態が変化し、洗浄面積調整スイッチ３０２ｅ，３０２ｆを押下操作することにより連続的にノズル部３０より噴出される洗浄水の噴出形態が変化する。それにより、洗浄水の広がり角度が変化し、被洗浄面の洗浄面積が変化する。調整スイッチ３０２の押下に伴って複数のＬＥＤ（発光ダイオード）３０１が点灯する。
【００３６】
また、水勢変化スイッチ３０４を押下操作することにより、ノズル部３０より噴出される洗浄水の水勢（圧力変動の態様）が連続的に増加および減少を繰り返す。詳細は後述する。
【００３７】
さらに、面積変化スイッチ３０３を押下操作することにより、ノズル部３０より噴出される洗浄水の広がり角度が変化し、被洗浄面の洗浄面積が連続的に拡大および縮小を繰り返す。詳細は後述する。
【００３８】
以下、本実施の形態に係る衛生洗浄装置１００の本体部２００について説明を行う。図３は第１の実施の形態に係る衛生洗浄装置１００の本体部２００の構成を示す模式図である。
【００３９】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ、ポンプ１３、切替弁１４およびノズル部３０を含む。また、ノズル部３０は、おしりノズル１、ビデノズル２およびノズル洗浄用ノズル３を含む。
【００４０】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂおよびポンプ１３が介挿されている。
【００４１】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００４２】
また、ポンプ１３と切替弁１４との間にはリリーフ配管２０４が接続され、止水電磁弁９と流量センサ１０との間には、逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、異常時の機器の破損、ホースの外れ等の不具合を防止する。一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００４３】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００４４】
続いて、熱交換器１１は、制御部４により与えられる制御信号に基いて、配管２０２を通して供給された洗浄水を所定の温度に加熱する。温度センサ１２ｂは、熱交換器１１により所定の温度に加熱された洗浄水の温度を測定し、制御部４に温度測定値を与える。
【００４５】
ポンプ１３は、熱交換器１１により加熱された洗浄水を制御部４により与えられる制御信号に基いて、切替弁１４に圧送する。切替弁１４は、制御部４により与えられる制御信号に基いて、ノズル部３０のおしりノズル１、ビデノズル２およびノズル洗浄用ノズル３のいずれか１つに洗浄水を供給する。それにより、おしりノズル１、ビデノズル２およびノズル洗浄用ノズル３のいずれか１つより洗浄水が噴出される。また、切替弁１４は、制御部４により与えられる制御信号に基いて、ノズル部３０より噴出される洗浄水の流量を調整する。それにより、ノズル部３０より噴出される洗浄水の流量が変化する。
【００４６】
制御部４は、図１の遠隔操作装置３００から無線送信される信号、流量センサ１０から与えられる測定流量値および温度センサ１２ａ，１２ｂから与えられる温度測定値に基き止水電磁弁９、熱交換器１１、ポンプ１３および切替弁１４に対して制御信号を与える。
【００４７】
図４は熱交換器１１の構造の一例を示す一部切り欠き断面図である。
図４に示すように、樹脂ケース５０４内に曲折された蛇行配管５１０が埋設されている。蛇行配管５１０に接触するように平板状のセラミックヒータ５０５が設けられている。矢印Ｙで示すように、洗浄水が、給水口５１１から蛇行配管５１０内に供給され、蛇行配管５１０中を流れる間に、セラミックヒータ５０５により効率よく加熱され、排出口５１２から排出される。
【００４８】
図３の制御部４は、温度センサ１２ｂより与えられる温度測定値に基いて、熱交換器１１のセラミックヒータ５０５の温度をフィードバック制御する。
【００４９】
本実施の形態においては、制御部４がフィードバック制御により熱交換器１１のセラミックヒータ５０５の温度を制御することとしたが、これに限定されず、フィードフォワード制御によりセラミックヒータ５０５の温度を制御してもよく、あるいは、温度上昇時には、フィードフォワード制御によりセラミックヒータ５０５を制御し、定常時には、フィードバック制御によりセラミックヒータ５０５を制御する複合的な制御を行ってもよい。
【００５０】
図５はポンプ１３の構造の一例を示す断面図である。図５のポンプは複動型レシプロポンプである。
【００５１】
図５において、本体部１３８内には、円柱状空間１３９が形成されている。円柱状空間１３９内には圧送ピストン１３６が設けられている。圧送ピストン１３６の外周部には、Ｘ字パッキン１３６ａが装着されている。圧送ピストン１３６により円柱状空間１３９がポンプ室１３９ａとポンプ室１３９ｂとに分割される。
【００５２】
本体部１３８の一側部には洗浄水入口ＰＩが設けられ、他側部には洗浄水出口ＰＯが設けられている。洗浄水入口ＰＩには図３の配管２０３を介して熱交換器１１が接続され、洗浄水出口ＰＯには配管２０３を介して切替弁１４が接続される。
【００５３】
洗浄水入口ＰＩは、内部流路Ｐ１、小室Ｓ１および小室Ｓ３を介してポンプ室１３９ａに連通するとともに、内部流路Ｐ２、小室Ｓ２および小室Ｓ４を介してポンプ室１３９ｂに連通している。
【００５４】
ポンプ室１３９ａは、小室Ｓ５、小室Ｓ７および内部流路Ｐ３を介して洗浄水出口ＰＯに連通している。円柱状空間１３９ｂは、小室Ｓ６、小室Ｓ８および内部流路Ｐ４を介して洗浄水出口ＰＯに連通している。
【００５５】
小室Ｓ３、小室Ｓ４、小室Ｓ７および小室Ｓ８には、それぞれアンブレラパッキン１３７が設けられている。
【００５６】
モータ１３０の回転軸にギア１３１が取り付けられ、ギア１３１にギア１３２が噛合っている。また、ギア１３２には、クランクシャフト１３３の一端が一点支持で回動可能に取り付けられ、クランクシャフト１３３の他端には、ピストン保持部１３４およびピストン保持棒１３５を介して圧送ピストン１３６が取り付けられている。
【００５７】
図３の制御部４により与えられる制御信号に基いて、モータ１３０の回転軸が回転すると、モータ１３０の回転軸に取り付けられたギア１３１が矢印Ｒ１の方向に回転し、ギア１３２が矢印Ｒ２の方向に回転する。これにより、圧送ピストン１３６が図中の矢印Ｚの方向に上下運動する。
【００５８】
図６はアンブレラパッキン１３７の動作を説明するための模式図である。例えば、図５の圧送ピストン１３６が、下方向に移動し、ポンプ室１３９ａの容積を増加させた場合、小室Ｓ１の圧力よりもポンプ室１３９ａ内の圧力が低くなるため、小室Ｓ３に設けられたアンブレラパッキン１３７は、図６（ｂ）に示すように変形する。その結果、洗浄水入口ＰＩから供給された洗浄水が、内部流路Ｐ１、小室Ｓ１および小室Ｓ３を介してポンプ室１３９ａに流入する。この場合、小室Ｓ７の圧力よりもポンプ室１３９ａ内の圧力が低くなるため、小室Ｓ７に設けられたアンブレラパッキン１３７は、図６（ａ）に示す状態のまま変形しない。そのため、洗浄水がポンプ室１３９ａ内へ流入したり、逆に洗浄水出口ＰＯより吐出されることもない。
【００５９】
一方、図５の圧送ピストン１３６が、上方向に移動し、ポンプ室１３９ａの容積を減少させた場合、小室Ｓ１の圧力よりもポンプ室１３９ａ内の圧力が高くなるため、小室Ｓ３に設けられたアンブレラパッキン１３７は、図６（ａ）に示す状態のまま変形しない。その結果、小室Ｓ１内の洗浄水が、ポンプ室１３９ａに流入しない。この場合、小室Ｓ７に設けられたアンブレラパッキン１３７は、図６（ｂ）に示すように変形する。そのため、ポンプ室１３９ａ内の洗浄水が、小室Ｓ５、小室Ｓ７および内部流路Ｐ３を介して洗浄水出口ＰＯから吐出される。
【００６０】
なお、小室Ｓ４内に設けられたアンブレラパッキン１３７は、圧送ピストン１３６が上方向に移動した場合に、図６（ｂ）に示すように変形し、圧送ピストン１３６が下方向に移動した場合に、図６（ａ）に示す状態のまま変形しない。一方、小室Ｓ８に設けられたアンブレラパッキン１３７は、圧送ピストン１３６が上方向に移動した場合に、図６（ａ）に示す状態のまま変形せず、圧送ピストン１３６が下方向に移動した場合に、図６（ｂ）に示すように変形する。それにより、ポンプ室１３９ａ内の洗浄水が洗浄水出口ＰＯから吐出されるときに、ポンプ室１３９ｂ内に洗浄水入口ＰＩからの洗浄水が流入し、ポンプ室１３９ａ内に洗浄水入口ＰＩからの洗浄水が流入するときに、ポンプ室１３９ｂ内の洗浄水が洗浄水出口ＰＯから吐出される。
【００６１】
図７は図５のポンプ１３の圧力変化を示す図である。図７の縦軸は圧力を示し、横軸は時間を示す。
【００６２】
図７に示すように、ポンプ１３の洗浄水入口ＰＩに圧力Ｐｉの洗浄水が供給される。この場合、図６の圧送ピストン１３６が上下方向に運動することにより、ポンプ室１３９ａ内の洗浄水の圧力Ｐａは、点線のように変化する。一方、ポンプ室１３９ｂ内の洗浄水の圧力Ｐｂは、破線のように変化する。ポンプ１３の洗浄水出口ＰＯより吐出される洗浄水の圧力Ｐｏｕｔは、太い実線で示すように、圧力Ｐｃを中心として上下に周期的に変化する。
【００６３】
このように、ポンプ１３においては、圧送ピストン１３６が上下運動を行うことにより、ポンプ室１３９ａまたはポンプ室１３９ｂ内の洗浄水に対して交互に圧力が加えられ、洗浄水入口ＰＩの洗浄水が昇圧されて洗浄水出口ＰＯから吐出される。
【００６４】
以下に、ポンプ１３の動作に基づく吐出圧力の変化について説明する。なお、本実施の形態に係る衛生洗浄装置１００においては、切替弁１４を通過する洗浄水の流量は一定とする。ただし、切替弁１４を切り替えることにより、以下に示す圧力変動をおしりノズル１またはビデノズル２より噴出する洗浄水に与えることができる。
【００６５】
図８（ａ）〜（ｃ）は、第１の実施の形態において設定された水勢の違いによるポンプ１３の圧力変化を示す図である。縦軸はポンプ１３の吐出圧力を示し、横軸は時間を示す。
【００６６】
図８（ａ）は、使用者が図２の水勢調整スイッチ３０２ａ，３０２ｂを押下し、水勢を「強」に設定した場合のポンプ１３の吐出圧力を示す図である。この場合、制御部４はポンプ１３のモータ１３０の回転数を大きくする。これにより、図５の圧送ピストン１３６の上下方向の運動周期が短くなる。その結果、ポンプ１３の吐出圧力の変動周波数が高くなり、吐出圧力の変動周期が小さくなる。また、吐出圧力の変動中心Ｐｏが高くなり、かつ、吐出圧力の変動幅が大きくなる。
【００６７】
また、図８（ｂ）は、使用者が図２の水勢調整スイッチ３０２ａ，３０２ｂ，３０２ｃを押下し、水勢を「中」に設定した場合のポンプ１３の吐出圧力を示す図である。この場合、制御部４はモータ１３０の回転数を中程度にする。これにより、図５の圧送ピストン１３６の上下方向の運動周期が中程度となる。その結果、ポンプ１３の吐出圧力の変動周波数が中程度となり、吐出圧力の変動周期が中程度となる。また、吐出圧力の変動中心Ｐｏが中程度となり、かつ、吐出圧力の変動幅が中程度となる。
【００６８】
さらに、図８（ｃ）は、使用者が図２の水勢調整スイッチ３０２ａ，３０２ｃを押下し、水勢を「弱」に設定した場合のポンプ１３の吐出圧力を示す図である。この場合、制御部４はモータ１３０の回転数を小さくする。これにより、図５の圧送ピストン１３６の上下方向の運動周期が長くなる。その結果、ポンプ１３の吐出圧力の変動周波数が低くなり、吐出圧力の変動周期が大きくなる。また、ポンプ１３の吐出圧力の変動中心Ｐｏが低くなり、かつ、吐出圧力の変動幅が小さくなる。
【００６９】
使用者が図２の水勢変化スイッチ３０４を押下すると、制御部４はモータ１３０の回転数を周期的に増加および減少させることを繰り返す。それにより、図５の圧送ピストン１３６の上下方向の運動周期が周期的に増加および減少する。その結果、ポンプ１３の吐出圧力の変動周期、吐出圧力の変動中心Ｐｏおよび吐出圧力の変動幅が周期的に増加および減少することを繰り返す。すなわち、図８（ａ）〜（ｃ）で示すように圧力変動の態様が周期的な変化が繰り返される。
【００７０】
本実施の形態に係る衛生洗浄装置１００においては、水勢の調整がポンプ１３の回転数を変化させることにより行われる。これにより、使用者は、水勢調整スイッチ３０２ａ，３０２ｂ，３０２ｃにより、ノズル部３０から噴出される洗浄水の流量（平均圧力）、圧力変動幅および圧力変動周期を調整することができる。
【００７１】
このように、洗浄水の流量のみならず圧力変動幅および圧力変動周期を変化させることにより、流量のみの調整とは異なる洗浄感が得られる。したがって、使用者の嗜好に応じた種々の洗浄感を得ることが可能となる。
【００７２】
本実施の形態に係る衛生洗浄装置１００においては、おしりノズル１およびビデノズル２に応じてそれぞれ最適に圧力変動幅および圧力変動周期を制御することが好ましい。それにより、快適性および使い勝手が向上する。
【００７３】
図９（ａ）は切替弁１４の縦断面図であり、図９（ｂ）は図９（ａ）の切替弁１４のＡ−Ａ線断面図であり、図９（ｃ）は図９（ａ）の切替弁１４のＢ−Ｂ線断面図であり、図９（ｄ）は図９（ａ）の切替弁１４のＣ−Ｃ線断面図である。
【００７４】
図９に示す切替弁１４は、モータ１４１、内筒１４２および外筒１４３により構成される。
【００７５】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【００７６】
図９（ａ），（ｂ），（ｃ），（ｄ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられ、側部の洗浄水出口１４３ｂ，１４３ｃ，１４３ｄと異なる位置に洗浄水出口１４３ｅが設けられている。内筒１４２の互いに異なる位置に孔１４２ｅ，１４２ｆ，１４２ｇが設けられている。孔１４２ｅ，１４２ｆの周辺には、図９（ｂ），（ｃ）に示すように、曲線および直線で構成される面取り部（凹部）が形成され、孔１４２ｇの周辺には、図９（ｄ）に示すように、直線で構成される面取り部（凹部）が形成されている。
【００７７】
内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっており、孔１４２ｇが外筒１４３の洗浄水出口１４３ｅと対向可能になっている。
【００７８】
洗浄水入口１４３ａには、図３の配管２０３が接続され、洗浄水出口１４３ｂには、ビデノズル２が接続され、洗浄水出口１４３ｃには、おしりノズル１の第１の流路が接続され、洗浄水出口１４３ｄには、おしりノズルの第２の流路が接続され、洗浄水出口１４３ｅには、ノズル洗浄用ノズル３が接続されている。
【００７９】
図１０は図９の切替弁１４の動作を示す断面図である。
図１０（ａ）〜（ｆ）は切替弁１４のモータ１４１がそれぞれ０度、９０度、１３５度、１８０度、２２５度および２７０度回転した状態を示す。
【００８０】
まず、図１０（ａ）に示すように、モータ１４１を回転させない（０度）場合には、内筒１４２の孔１４２ｅの周囲の面取り部（凹部）が外筒１４３の洗浄水出口１４３ｂに対向する。したがって、洗浄水が洗浄水入口１４３ａより内筒１４２の内部を通過して、矢印Ｗ１で示すように洗浄水出口１４３ｂから流出する。
【００８１】
次に、図１０（ｂ）に示すように、モータ１４１が内筒１４２を９０度回転させた場合には、内筒１４２の孔１４２ｇの周囲の面取り部（凹部）が外筒１４３の洗浄水出口１４３ｅに対向する。したがって、洗浄水が洗浄水入口１４３ａより内筒１４２の内部を通過して、矢印Ｗ２で示すように洗浄水出口１４３ｅから流出する。
【００８２】
次いで、図１０（ｃ）に示すように、モータ１４１が内筒１４２を１３５度回転させた場合には、内筒１４２の孔１４２ｇの周囲の面取り部（凹部）の一部が外筒１４３の洗浄水出口１４３ｅに対向するとともに、内筒１４２の孔１４２ｅの周囲の面取り部（凹部）の一部が外筒１４３の洗浄水出口１４３ｃに対向する。したがって、少量の洗浄水が洗浄水入口１４３ａより内筒１４２の内部を通過して、矢印Ｗ２および矢印Ｗ３で示すように洗浄水出口１４３ｃ，１４３ｅから流出する。
【００８３】
次に、図１０（ｄ）に示すように、モータ１４１が内筒１４２を１８０度回転させた場合には、内筒１４２の孔１４２ｅの周囲の面取り部（凹部）が外筒１４３の洗浄水出口１４３ｃに対向する。したがって、洗浄水が洗浄水入口１４３ａより内筒１４２の内部を通過して、矢印Ｗ３で示すように洗浄水出口１４３ｃから流出する。
【００８４】
次に、図１０（ｅ）に示すように、モータ１４１が内筒１４２を２２５度回転させた場合には、内筒１４２の孔１４２ｅの周囲の面取り部（凹部）の一部が外筒１４３の洗浄水出口１４３ｃに対向するとともに、内筒１４２の孔１４２ｆの周囲の面取り部（凹部）の一部が外筒１４３の洗浄水出口１４３ｄに対向する。したがって、少量の洗浄水が洗浄水入口１４３ａより内筒１４２の内部を通過して、矢印Ｗ３および矢印Ｗ４で示すように洗浄水出口１４３ｃ，１４３ｄから流出する。
【００８５】
また、図１０（ｆ）に示すように、モータ１４１が内筒１４２を２７０度回転させた場合には、内筒１４２の孔１４２ｆの周囲の面取り部（凹部）が外筒１４３の洗浄水出口１４３ｄに対向する。したがって、洗浄水が洗浄水入口１４３ａより内筒１４２の内部を通過して、矢印Ｗ４で示すように洗浄水出口１４３ｄから流出する。
【００８６】
以上のように、制御部４からの制御信号に基いてモータ１４１が回転することにより内筒１４２の孔１４２ｅ，１４２ｆ，１４２ｇのいずれかが外筒１４３の洗浄水出口１４３ｂ〜１４３ｅに対向し、洗浄水入口１４３ａから流入した洗浄水が洗浄水出口１４３ｂ〜１４３ｅのいずれかから流出する。
【００８７】
図１１は図１０の切替弁１４の洗浄水出口１４３ｃ，１４３ｄからおしりノズル１に流出する洗浄水の流量、洗浄水出口１４３ｂからビデノズル２に流出する洗浄水の流量および洗浄水出口１４３ｅからノズル洗浄ノズル３に流出する洗浄水の流量を示す図である。図１１の横軸はモータ１４１の回転角度を示し、縦軸は洗浄水出口１４３ｂ〜１４３ｅから流出する洗浄水の流量を示す。また、実線Ｑ１が洗浄水出口１４３ｃからおしりノズル１に流出する洗浄水の流量の変化を示し、一点鎖線Ｑ２が洗浄水出口１４３ｄからおしりノズル１に流出する洗浄水の流量の変化を示し、二点鎖線Ｑ３が洗浄水出口１４３ｂからビデノズル２に流出する洗浄水の流量の変化を示し、破線Ｑ４が洗浄水出口１４３ｅからノズル洗浄ノズル３に流出する洗浄水の流量の変化を示す。
【００８８】
例えば、図１１に示すように、モータ１４１が回転しない場合（０度）、洗浄水出口１４３ｂからビデノズル２に流出する洗浄水の流量Ｑ３は最大値を示す。そして、モータ１４１の回転角度が大きくなるとともに洗浄水出口１４３ｂからビデノズル２に流出する洗浄水の流量Ｑ３が減少し、洗浄水出口１４３ｅからノズル洗浄ノズル３に流出する洗浄水の流量Ｑ４が増加する。
【００８９】
次いで、モータ１４１が９０度回転した場合、洗浄水出口１４３ｅからノズル洗浄ノズル３に流出する洗浄水の流量Ｑ４は最大値を示す。そして、モータ１４１の回転角度がさらに大きくなるとともに洗浄水出口１４３ｅからノズル洗浄ノズル３に流出する洗浄水の流量Ｑ４が減少し、洗浄水出口１４３ｃからおしりノズル１に流出する洗浄水の流量Ｑ１が増加する。
【００９０】
続いて、モータ１４１が１８０度回転した場合、洗浄水出口１４３ｃからおしりノズル１に流出する洗浄水の流量Ｑ１は最大値を示す。そして、モータ１４１の回転角度がさらに大きくなるとともに洗浄水出口１４３ｃからおしりノズル１に流出する洗浄水の流量Ｑ１が減少し、洗浄水出口１４３ｄからおしりノズル１に流出する洗浄水の流量Ｑ２が増加する。
【００９１】
続いて、モータ１４１が２７０度回転した場合、洗浄水出口１４３ｄからおしりノズル１に流出する洗浄水の流量Ｑ２は最大値を示す。そして、モータ１４１の回転角度がさらに大きくなるとともに洗浄水出口１４３ｄからおしりノズル１に流出する洗浄水の流量Ｑ２が減少し、洗浄水出口１４３ｂからビデノズル２に流出する洗浄水の流量Ｑ３が増加する。
【００９２】
以上のように、制御部４が切替弁１４のモータ１４１の回転角度を制御することにより洗浄水出口１４３ｂ〜１４３ｅから流出する洗浄水の流量を制御することができる。さらに、切替弁１４のモータ１４１の回転角度がいかなる場合でも、洗浄水出口１４２ｅ，１４２ｆ，１４２ｇのいずれかまたはそれらの周囲の面取り部（凹部）が洗浄水出口１４３ｂ〜１４３ｅのいずれかに対向するので、洗浄水の流路が閉塞されず、洗浄水入口１４３ａから供給された洗浄水は、洗浄水出口１４３ｂ〜１４３ｅのいずれかから流出される。
【００９３】
次に、図３のノズル部３０について説明する。図１２は図３のノズル部３０および切替弁１４の模式的断面図である。
【００９４】
図１２に示すように、切替弁１４の洗浄水出口１４３ｃ，１４３ｄは、おしりノズル１に接続され、切替弁１４の洗浄水出口１４３ｂはビデノズル２に接続され、切替弁１４の洗浄水出口１４３ｅはノズル洗浄ノズル３に接続される。
【００９５】
まず、おしりノズル１の構成について説明し、次いで、ビデノズル２の構成について説明し、最後にノズル洗浄ノズル３の構成について説明する。
【００９６】
おしりノズル１は、円筒状のピストン部２０、円筒状のシリンダ部２１、シールパッキン２２ａ，２２ｂおよびスプリング２３により構成される。
【００９７】
ピストン部２０の先端近傍には、洗浄水を噴出するための噴出孔２５が形成されている。ピストン部２０の後端には、フランジ形状のストッパ部２６ａ，２６ｂが設けられている。また、ストッパ部２６ａ，２６ｂには、それぞれシールパッキン２２ａ，２２ｂが装着されている。ピストン部２０の内部には、後端面から噴出孔２５に連通する第１の流路２７ａが形成され、ストッパ部２６ａとストッパ部２６ｂとの間におけるピストン部２０の周面から噴出孔２５に連通する第２の流路２７ｂが形成されている。また、噴出孔２５の周囲には、円筒状渦室２９が形成されており、第１の流路２７ａと円筒状渦室２９との間には、縮流部３１が介挿されている。
【００９８】
一方、シリンダ部２１は、先端側の径小部分と中間の径を有する中間部分と後端側の径大部分とからなる。それにより、径小部分と中間部分との間に、ピストン部２０のストッパ部２６ａがシールパッキン２２ａを介して当接可能なストッパ面２１ｃが形成され、中間部分と径大部分との間に、ピストン部２０のストッパ部２６ｂがシールパッキン２２ｂを介して当接可能なストッパ面２１ｂが形成されている。シリンダ部２１の後端面には、洗浄水入口２４ａが設けられ、シリンダ部２１の中間部分の周面には、洗浄水入口２４ｂが設けられ、シリンダ部２１の先端面には、開口部２１ａが設けられている。シリンダ部２１の内部空間が温度変動緩衝部２８となる。洗浄水入口２４ａは、シリンダ部２１の中心軸とは異なる位置に偏心して設けられている。洗浄水入口２４ａは、切替弁１４の洗浄水出口１４３ｃに接続され、洗浄水入口２４ｂは、切替弁１４の洗浄水出口１４３ｄに接続されている。ピストン部２０がシリンダ部２１より最も突出した場合に、洗浄水入口２４ｂは、第２の流路２７ｂと連通する。この洗浄水入口２４ｂが第２の流路２７ｂと接続する詳細については後述する。
【００９９】
ピストン部２０は、ストッパ部２６ｂが温度変動緩衝部２８内に位置し、先端部が開口部２１ａから突出するように、シリンダ部２１内に移動可能に挿入されている。
【０１００】
さらに、スプリング２３は、ピストン部２０のストッパ部２６ａとシリンダ部２１の開口部２１ａの周縁との間に配設されており、ピストン部２０をシリンダ部２１の後端側に付勢する。
【０１０１】
ピストン部２０のストッパ部２６ａ，２６ｂの外周面とシリンダ部２１の内周面との間に微小隙間が形成され、ピストン部２０の外周面とシリンダ部２１の開口部２１ａの内周面との間に微小隙間が形成されている。
【０１０２】
次に、ビデノズル２は、円筒状のピストン部２０ｅ、円筒状のシリンダ部２１ｅ、シールパッキン２２ｅおよびスプリング２３ｅにより構成される。
【０１０３】
ピストン部２０ｅの先端近傍には、洗浄水を噴出するための噴出孔２５ｅが形成されている。ピストン部２０ｅの後端には、フランジ形状のストッパ部２６ｅが設けられている。また、ストッパ部２６ｅには、シールパッキン２２ｅが装着されている。ピストン部２０ｅの内部には、後端面から噴出孔２５に連通する流路２７ｅが形成されている。
【０１０４】
一方、シリンダ部２１ｅは、先端側の径小部分と後端側の径大部分とからなる。それにより、径小部分と径大部分との間に、ピストン部２０ｅのストッパ部２６ｅがシールパッキン２２ｅを介して当接可能なストッパ面２１ｆが形成されている。シリンダ部２１ｅの後端面には、洗浄水入口２４ｅが設けられ、シリンダ部２１ｅの先端面には、開口部２１ｇが設けられている。シリンダ部２１ｅの内部空間が温度変動緩衝部２８ｅとなる。洗浄水入口２４ｅは、シリンダ部２１ｅの中心軸とは異なる位置に偏心して設けられている。洗浄水入口２４ｅは、切替弁１４の洗浄水出口１４３ｂに接続されている。
【０１０５】
ピストン部２０ｅは、ストッパ部２６ｅが温度変動緩衝部２８ｅ内に位置し、先端部が開口部２１ｇから突出するように、シリンダ部２１ｅ内に移動可能に挿入されている。
【０１０６】
さらに、スプリング２３ｅは、ピストン部２０ｅのストッパ部２６ｅとシリンダ部２１ｅの開口部２１ｇの周縁との間に配設されており、ピストン部２０ｅをシリンダ部２１ｅの後端側に付勢する。
【０１０７】
ピストン部２０ｅのストッパ部２６ｅの外周面とシリンダ部２１ｅの内周面との間に微小隙間が形成され、ピストン部２０ｅの外周面とシリンダ部２１ｅの開口部２１ｇの内周面との間に微小隙間が形成されている。
【０１０８】
次に、ノズル洗浄ノズル３は、円筒状の噴出部２０ｋにより構成される。噴出部２０ｋの先端近傍には、おしりノズル１側に洗浄水を噴出するための噴出孔２５ｋとビデノズル２側に洗浄水を噴出するための噴出孔２５ｍとが形成される。噴出部２０ｋの後端には洗浄水入口２４ｋが設けられる。噴出部２０ｋの後端に設けられた洗浄水入口２４ｋから噴出孔２５ｋおよび噴出孔２５ｍに連通する流路２７ｋが形成される。洗浄水入口２４ｋは、切替弁１４の洗浄水出口１４３ｅに接続されている。
【０１０９】
それにより、切替弁１４の洗浄水出口１４３ｅより供給された洗浄水が、ノズル洗浄ノズル３の噴出部２０ｋの洗浄水入口２４ｋを介して流路２７ｋを通して、噴出孔２５ｋおよび噴出孔２５ｍより噴出される。噴出孔２５ｋおよび噴出孔２５ｍより噴出された洗浄水により、おしりノズル１およびビデノズル２の洗浄が行われる。
【０１１０】
次いで、図１２のおしりノズル１およびビデノズル２の動作について説明する。まず、おしりノズル１の動作について説明し、次に、ビデノズル２の動作について説明する。図１３は図１２のおしりノズル１の動作を説明するための断面図である。
【０１１１】
図１３（ａ）に示すように、シリンダ部２１の洗浄水入口２４ａ，２４ｂより洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【０１１２】
次いで、図１３（ｂ）に示すように、シリンダ部２１の洗浄水入口２４ａより洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【０１１３】
洗浄水入口２４ａがシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６ａ，２６ｂの外周面とシリンダ部２１の内周面との間の微小隙間を通して、ピストン部２０の外周面とシリンダ部２１の開口部２１ａの内周面との間の微小隙間から流れ出るとともに、ピストン部２０の第１の流路２７ａを通して円筒状渦室２９に供給され、噴出孔２５からわずかに噴出される。円筒状渦室２９の詳細については後述する。
【０１１４】
ピストン部２０がさらに前進すると、図１３（ｃ）に示すように、ストッパ部２６ａ，２６ｂがシールパッキン２２ａ，２２ｂを介してシリンダ部２１のストッパ面２１ｃ，２１ｂに水密に接触する。それにより、ピストン部２０のストッパ部２６ａ，２６ｂの外周面とシリンダ部２１の内周面との間の微小隙間からピストン部２０の外周面とシリンダ部２１の開口部２１ａの内周面との間の微小隙間に至る流路が遮断される。さらに、洗浄水入口２４ｂより供給された洗浄水が、ピストン部２０の第２の流路２７ｂを通して円筒状渦室２９に供給される。それにより、ピストン部２０の第２の流路２７ｂを通して円筒状渦室２９に供給された洗浄水は、ピストン部２０の第１の流路２７ａを通して供給された洗浄水と混合され、噴出孔２５から噴出される。
【０１１５】
このように、切替弁１４の洗浄水出口１４３ｃ，１４３ｄより供給された洗浄水が、シリンダ部２１の洗浄水入口２４ａ，２４ｂを介してピストン部２０内の第１の流路２７ａおよび第２の流路２７ｂを通して円筒状渦室２９に導かれ、円筒状渦室２９を通して噴出孔２５から噴出される。
【０１１６】
次いで、図１２のビデノズル２の動作について説明する。図１４は図１２のビデノズル２の動作を説明するための断面図である。
【０１１７】
まず、図１４（ａ）に示すように、シリンダ部２１ｅの洗浄水入口２４ｅより洗浄水が供給されない場合、ピストン部２０ｅが、スプリング２３ｅの弾性力により矢印Ｘの方向と逆方向に後退し、シリンダ部２１ｅ内に収容されている。その結果、ピストン部２０ｅは、シリンダ部２１ｅの開口部２１ｇより最も突出していない状態となる。このとき、シリンダ部２１ｅ内には、温度変動緩衝部２８ｅが形成されない。
【０１１８】
次いで、図１４（ｂ）に示すように、シリンダ部２１ｅの洗浄水入口２４ｅより洗浄水の供給が開始された場合、洗浄水の圧力によりピストン部２０ｅがスプリング２３ｅの弾性力に抗して矢印Ｘの方向に徐々に前進する。それにより、シリンダ部２１ｅ内に温度変動緩衝部２８ｅが形成されるとともに温度変動緩衝部２８ｅに洗浄水が流入する。
【０１１９】
洗浄水入口２４ｅがシリンダ部２１ｅの中心軸に対して偏心した位置に設けられているので、温度変動緩衝部２８ｅに流入した洗浄水は、矢印Ｖで示すように渦巻状に還流する。温度変動緩衝部２８ｅの洗浄水の一部は、ピストン部２０ｅのストッパ部２６ｅの外周面とシリンダ部２１ｅの内周面との間の微小隙間を通して、ピストン部２０ｅの外周面とシリンダ部２１ｅの開口部２１ｇの内周面との間の微小隙間から流れ出るとともに、ピストン部２０ｅの流路２７ｅを通して、噴出孔２５ｅからわずかに噴出される。
【０１２０】
ピストン部２０ｅがさらに前進すると、図１４（ｃ）に示すように、ストッパ部２６ｅがシールパッキン２２ｅを介してシリンダ部２１ｅのストッパ面２１ｆに水密に接触する。それにより、ピストン部２０ｅのストッパ部２６ｅの外周面とシリンダ部２１ｅの内周面との間の微小隙間からピストン部２０ｅの外周面とシリンダ部２１ｅの開口部２１ｇの内周面との間の微小隙間に至る流路が遮断される。それにより、ピストン部２０ｅの流路２７ｅを通して噴出孔２５ｅから噴出される。
【０１２１】
このように、切替弁１４の洗浄水出口１４３ｂより供給された洗浄水が、シリンダ部２１ｅの洗浄水入口２４ｅを介してピストン部２０ｅ内の流路２７ｅを通して円噴出孔２５ｅから噴出される。
【０１２２】
次いで、図１５は図１２のおしりノズル１のピストン部２０の先端部の模式図である。図１５（ａ）はピストン部２０の先端部を上面から見た場合を示し、図１５（ｂ）はピストン部２０の先端部を側面から見た場合を示す。
【０１２３】
まず、図１５（ｂ）に示すように、第１の流路２７ａは、円筒状の円筒状渦室２９の周面に接続され、第２の流路２７ｂは円筒状渦室２９の底面に接続されている。切替弁１４の洗浄水出口１４３ｃ，１４３ｄからの洗浄水が第１の流路２７ａおよび第２の流路２７ｂに供給される。
【０１２４】
図１５（ａ）に示すように、第１の流路２７ａより円筒状渦室２９に供給された洗浄水は、円筒状渦室２９の内周面の曲面形状により矢印Ｚに示す渦巻状態で流動する。一方、第２の流路２７ｂより円筒状渦室２９に供給された洗浄水は、垂直上方向に直線状態で流動する。
【０１２５】
このように、円筒状渦室２９において第１の流路２７ａの渦巻状態の洗浄水と第２の流路２７ｂの直線状の洗浄水とが混合され、噴出孔２５より洗浄水が噴出される。
【０１２６】
例えば、第１の流路２７ａより供給される洗浄水の流量が第２の流路２７ｂより供給される洗浄の流量よりも多い場合、円筒状渦室２９において混合される洗浄水は、円筒状の円筒状渦室２９の曲面形状による渦巻状態を強く維持するため、図１５（ｂ）に示す矢印Ｈの広い角度で分散旋回流として噴出される。一方、第２の流路２７ｂより供給される洗浄水の流量が第１の流路２７ａより供給される洗浄水の流量よりも多い場合、円筒状渦室２９において混合される洗浄水は、直線状態を強く維持するため、図１５（ｂ）に示す矢印Ｓの狭い角度で直線流として噴出される。
【０１２７】
したがって、制御部４が切替弁１４のモータ１４１を制御して洗浄水出口１４３ｃ，１４３ｄの流量比を変化させることにより、噴出孔２５より噴出される洗浄水の噴出形態が変化する。
【０１２８】
本実施の形態では、おしりスイッチ３０５の押下後、洗浄面積調整スイッチ３０２ｆを押下すると、洗浄水出口１４３ｃでの洗浄水の流量が洗浄水出口１４３ｄでの洗浄水の流量よりも大きくなり、洗浄水の噴出形態が直線流に近づく。それにより、洗浄水の広がり角度が小さくなる。おしりスイッチ３０５の押下後、洗浄面積調整スイッチ３０２ｅを押下すると、洗浄水出口１４３ｄでの洗浄水の流量が洗浄水出口１４３ｃでの洗浄水の流量よりも大きくなり、洗浄水の噴出形態が分散旋回流に近づく。それにより、洗浄水の広がり角度が大きくなる。
【０１２９】
また、おしりスイッチ３０５の押下後、大きい値を有する洗浄面積調整スイッチ３０２ｄを押下すると、洗浄水出口１４３ｃでの洗浄水の流量が洗浄水出口１４３ｄでの洗浄水の流量よりも大きくなり、洗浄水の噴出形態が直線流に近づく。それにより、洗浄水の広がり角度が小さくなる。おしりスイッチ３０５の押下後、小さい値を有する洗浄面積調整スイッチ３０２ｄを押下すると、洗浄水出口１４３ｄでの洗浄水の流量が洗浄水出口１４３ｃでの洗浄水の流量よりも大きくなり、洗浄水の噴出形態が分散旋回流に近づく。それにより、洗浄水の広がり角度が大きくなる。
【０１３０】
図１６（ａ）〜（ｅ）は、第１の実施の形態に係る切替弁の回転角度、ポンプの駆動状態および洗浄水を噴出するノズルの関係の説明図である。
【０１３１】
図１６（ａ）〜（ｅ）は、切替弁１４がそれぞれ０度、９０度、１８０度、２２５度および２７０度回転した状態を示す。
【０１３２】
まず、切替弁１４を回転させない（０度）場合には、ポンプの駆動状態はオンであり、洗浄水は図１６（ａ）の矢印Ｗ１で示すように洗浄水出口１４３ｂから流出し、図１２のビデノズル２から噴出する。
【０１３３】
次に、切替弁１４を０度から９０度回転させる間は、ポンプの駆動状態はオフであるから、洗浄水は流出しない。
【０１３４】
次いで、切替弁１４を９０度回転させた場合には、ポンプの駆動状態はオンであり、洗浄水は図１６（ｂ）の矢印Ｗ２で示すように洗浄水出口１４３ｅから流出し、図１２のノズル洗浄ノズル３から噴出する。
【０１３５】
次に、切替弁１４を９０度から１８０度まで回転させる間は、ポンプの駆動状態はオフであるから、洗浄水は流出しない。
【０１３６】
次いで切替弁１４を１８０度回転させた場合には、ポンプの駆動状態はオンであり、洗浄水は図１６（ｃ）の矢印Ｗ３で示すように洗浄水出口１４３ｃから流出し、図１２のおしりノズル１から噴出する。なお、この場合には、図１５（ｂ）で説明したように洗浄水は分散旋回流として噴出される。
【０１３７】
次に、切替弁１４を１８０度から２７０まで度回転させる間は、ポンプの駆動状態はオンであり、洗浄水は図１６（ａ）の矢印Ｗ３，Ｗ４で示すように洗浄水出口１４３ｃ，１４３ｄから流出し、おしりノズル１から噴出する。なお、この場合には、図１５（ｂ）で説明したように洗浄水出口１４３ｃ，１４３ｄから流出する洗浄水の流量比が変化し、洗浄水の噴出形態が分散旋回流から直線流に近づく。
【０１３８】
次に切替弁１４を２７０度回転させた場合には、ポンプの駆動状態はオンであり、洗浄水が図１６（ｅ）の矢印Ｗ４で示すように洗浄水出口１４３ｄのみから流出するため、図１５（ｂ）で説明したように洗浄水は直線流として噴出する。
【０１３９】
図１７は、衛生洗浄装置２００の動作の一例を示すグラフである。図１７の縦軸は切替弁の回転角度およびポンプの駆動状態であり、横軸は時間である。
【０１４０】
まず、遠隔操作装置３００のおしりスイッチ３０５を押下操作することにより切替弁１４が０度から９０度まで回転して時点ｔ１で停止する。時点ｔ１でポンプの駆動状態はオンとなり、ノズル洗浄ノズル３から洗浄水が噴出し、時点ｔ２までおしりノズル１およびビデノズル２の洗浄が行われる。続いて、切替弁１４が９０度から１８０度まで回転して時点ｔ３で停止する。時点ｔ３でポンプの駆動状態はオンとなり、おしりノズル１から洗浄水が噴出される。なお、この場合には、図１５で説明したように洗浄水は分散旋回流として噴出される。
【０１４１】
次に、時点ｔ４で、遠隔操作装置３００の洗浄面積調整スイッチ３０２ｅを押下操作すると、切替弁は２７０度まで回転して時点ｔ５で停止する。時点ｔ４から時点ｔ５までの間は切替弁１４の回転角度が１８０度から２７０度に変化するため、図１５で説明したように噴出形態が分散旋回流から直線流へと変化する。それに伴い、洗浄水の広がり角度が変化し、洗浄面積が変化する。
【０１４２】
次いで、時点ｔ６で遠隔操作装置３００の洗浄面積調整スイッチ３０２ｆを押下操作すると、切替弁が逆回転し、２７０度から１８０度まで回転して時点ｔ７で停止する。時点ｔ６から時点ｔ７までの間は、噴出形態が直線流から分散旋回流へと変化する。それに伴い、洗浄水の広がり角度が変化し、洗浄面積が変化する。なお、図１７のグラフから明らかなように切替弁１４が１８０度から２７０度まで回転する速度と２７０度から１８０度まで回転する速度は異なっている。詳細は後述する。
【０１４３】
次に、時点ｔ８で隔操作装置３００の停止スイッチ３０７を押下操作すると、切替弁１４が１８０度から９０度まで回転して時点ｔ９で停止する。なお、時点ｔ８から時点ｔ９までの間は、ポンプの駆動状態はオフであるため、洗浄水は噴出されない。時点ｔ９でポンプの駆動状態はオンとなり、ノズル洗浄ノズル３から洗浄水が噴出し、おしりノズル１およびビデノズル２の洗浄が行われる。時点ｔ１０で切替弁１４が０度まで回転して時点ｔ１１で停止する。なお、時点ｔ１０から時点ｔ１１の間は、ポンプの駆動状態はオフであるため、洗浄水は噴出されない。
【０１４４】
図１８は、おしりノズル１から噴出される洗浄水の噴出形態の変化を示した模式図である。
【０１４５】
図１８で示すように、洗浄水の広がり角度が縮小する場合の広がり角度の変化速度（以下、縮小速度と呼ぶ）をＶ１とし、洗浄水の広がり角度が拡大する場合の広がり角度の変化速度（以下、拡大速度と呼ぶ）をＶ２とする。図１８に示すように、拡大速度Ｖ２よりも縮小速度Ｖ１の方が小さくなるように、図９のモータ１４１の回転速度が制御される。それにより、図１７のグラフでは、切替弁１４が１８０度から２７０度に変化する場合の時間よりも、２７０度から１８０度に変化する場合の時間が小さくなっている。すなわち、洗浄面積が大きくなる速度よりも小さくなる速度の方が小さく設定されている。
【０１４６】
遠隔操作装置３００の面積変化スイッチ３０３を押下操作すると、自動的に洗浄水の広がり角度が拡大と縮小を繰り返す。このとき、拡大速度よりも縮小速度の方が小さい。その結果、外側から内側中心に向かって汚れを落とすように作用し、外周への汚れの飛散を防止できる。
【０１４７】
図１９は、洗浄水の流量を一定とした場合における洗浄面積に対する洗浄体感強度のグラフである。縦軸は洗浄体感強度、横軸はおしりノズル１から噴出される洗浄水の洗浄面積である。図１９に示す曲線ＳＴのように、洗浄面積が大きくなると洗浄体感強度は小さくなり、洗浄面積が小さくなると洗浄体感強度は大きくなる。したがって、洗浄面積を変化させることにより洗浄体感強度を変化させることができる。
【０１４８】
本実施の形態に係る衛生洗浄装置１００においては、水道配管２０１が給水源に相当し、ノズル部３０が噴出手段に相当し、おしりノズル１、ビデノズル２およびノズル洗浄ノズル３が複数のノズルに相当し、ポンプ１３が加圧手段および往復動ポンプに相当し、圧送ピストン１３６が加圧部材に相当し、第１の流路２７ａが第１の流路に相当し、第２の流路２７ｂが第２の流路に相当し、円筒状渦室２９が回転流生成手段に相当し、切替弁１４が流量調整手段および切替手段に相当し、制御部４が制御手段および指令手段に相当し、水勢調整スイッチ３０２ａ，３０２ｂ，３０２ｃが圧力変動設定手段に相当し、洗浄面積調整スイッチ３０２ｄ，３０２ｅ，３０２ｆが広がり角度設定手段に相当し、セラミックヒータ５０５が加熱手段に相当する。
【０１４９】
（第２の実施の形態）
以下、第２の実施の形態に係る衛生洗浄装置１００の本体部２００ａについての説明を行う。
【０１５０】
図２０は第２の実施の形態に係る衛生洗浄装置１００の本体部２００ａの構成を示す模式図である。
【０１５１】
図２０に示す本体部２００ａが図３に示す本体部２００と異なるのは、おしりノズル１の噴出形態を変化させるためのワイヤ２９ｃと、そのワイヤ２９ｃを制御するためのモータＭ０とが設けられている点、および切替弁１４をおしりノズル１、ビデノズル２およびノズル洗浄ノズル３の３流路に切り替える構造にした点である。このモータＭ０によりおしりノズル１の噴出形態を変化させる詳細については後述する。
【０１５２】
図２１（ａ）は切替弁１４の縦断面図であり、図２１（ｂ）は図２１（ａ）の切替弁１４のＡ−Ａ線断面図であり、図２１（ｃ）は図２１（ａ）の切替弁１４のＢ−Ｂ線断面図である。
【０１５３】
図２１に示す切替弁１４は、モータ１４１、内筒１４２および外筒１４３により構成される。
【０１５４】
外筒１４３内に内筒１４２が挿入され、モータ１４１の回転軸が内筒１４２に取り付けられている。モータ１４１は、制御部４により与えられる制御信号に基いて回転動作を行う。モータ１４１が回転することにより内筒１４２が回転する。
【０１５５】
図２１（ａ），（ｂ），（ｃ）に示すように、外筒１４３の一端には、洗浄水入口１４３ａが設けられ、側部の対向する位置に洗浄水出口１４３ｂ，１４３ｃが設けられ、側部の洗浄水出口１４３ｂ，１４３ｃと異なる位置に洗浄水出口１４３ｄが設けられている。内筒１４２の互いに異なる位置に孔１４２ｅ，１４２ｆが設けられている。孔１４２ｅの周辺には、図２１（ｂ）に示すように、面取り部が形成されている。内筒１４２の回転により、孔１４２ｅが外筒１４３の洗浄水出口１４３ｂまたは１４３ｃと対向可能になっており、孔１４２ｆが外筒１４３の洗浄水出口１４３ｄと対向可能になっている。
【０１５６】
洗浄水入口１４３ａには、図２０の配管２０３が接続され、洗浄水出口１４３ｂには、おしりノズル１が接続され、洗浄水出口１４３ｃには、ビデノズル２が接続され、洗浄水出口１４３ｄには、ノズル洗浄用ノズル３が接続されている。
【０１５７】
図２２は図２１の切替弁１４の動作を示す断面図である。
図２２（ａ）に示すように、モータ１４１が回転せず、内筒１４２の孔１４２ｅが外筒１４３の洗浄水出口１４３ｄと同じ側にある場合、内筒１４２の孔１４２ｅが外筒１４３の洗浄水出口１４３ｂ，１４３ｃのいずれにも対向せず、かつ内筒１４２の孔１４２ｆが外筒１４３の洗浄水出口１４３ｄに対向しない。したがって、洗浄水が洗浄水出口１４３ｂ，１４３ｃ，１４３ｄのいずれからも流出しない。
【０１５８】
次に、図２２（ｂ）に示すように、モータ１４１が内筒１４２を４５度回転させた場合には、内筒１４２の孔１４２ｅの周囲の面取り部の一部が外筒１４３の洗浄水出口１４３ｂに対向する。したがって、少量の洗浄水が洗浄水入口１４３ａより内筒１４２の内部を通過して、矢印Ｗ１で示すように洗浄水出口１４３ｂから流出する。
【０１５９】
また、図２２（ｃ）に示すように、モータ１４１が内筒１４２を９０度回転させた場合には、内筒１４２の孔１４２ｅが外筒１４３の洗浄水出口１４３ｂに対向する。したがって、多量の洗浄水が洗浄水入口１４３ａより内筒１４２の内部を通過して、矢印Ｗ２で示すように洗浄水出口１４３ｂから流出する。
【０１６０】
さらに、モータ１４１が内筒１４２を２７０度回転させた場合には、内筒１４２の孔１４２ｅが外筒１４３の洗浄水出口１４３ｃに対向する。したがって、多量の洗浄水が洗浄水入口１４３ａより内筒１４２の内部を通過して洗浄水出口１４３ｃから流出する。
【０１６１】
また、モータ１４１が内筒１４２を１８０度回転させた場合には、内筒１４２の孔１４２ｆが外筒１４３の洗浄水出口１４３ｄに対向する。したがって、多量の洗浄水が洗浄水入口１４３ａより内筒１４２の内部を通過して洗浄水出口１４３ｄから流出する。
【０１６２】
以上のように、制御部４からの制御信号に基いてモータ１４１が回転することにより内筒１４２の孔１４２ｅ，１４２ｆのいずれかが外筒１４３の洗浄水出口１４３ｂ〜１４３ｄのいずれかに対向した場合には洗浄水が流出し、内筒１４２の孔１４２ｅ，１４２ｆのいずれもが外筒１４３の洗浄水出口１４３ｂ〜１４３ｄのいずれにも対向しない場合には洗浄水が流出しない。
【０１６３】
次に、図２０のノズル部３０のおしりノズル１について説明する。図２３は図２０のノズル部３０のおしりノズル１の断面図である。なお、図２０のノズル部３０のビデノズル２の構成および動作は図２３のおしりノズル１と同様である。
【０１６４】
図２３に示すように、おしりノズル１は、円筒状のピストン部２０、円筒状のシリンダ部２１、シールパッキン２２およびスプリング２３により構成される。
【０１６５】
ピストン部２０の先端近傍には、洗浄水を噴出するための噴出孔２５が形成されている。さらに、噴出孔２５付近には、噴出孔２５から噴出される洗浄水の噴出形態を調整するための円錐状の噴出形態調整片２９ａ、噴出形態調整片２９ａの位置を調整するためのバネ２９ｂおよびワイヤ２９ｃが設けられている。噴出形態調整片２９ａはバネ２９ｂにより噴出孔２５内に挿入されるように付勢されている。図２０のモータＭ０によりワイヤ２９ｃを矢印ｚの方向に引っ張ることによりバネ２９ｂの弾性に抗して噴出形態調整片２９ａの位置を調整することができる。ピストン部２０の後端には、フランジ形状のストッパ部２６が設けられている。また、ストッパ部２６には、シールパッキン２２が装着されている。ピストン部２０の内部には、後端面から噴出孔２５に連通する流路２７が形成されている。
【０１６６】
一方、シリンダ部２１は、先端側の径小部分と後端側の径大部分とからなる。それにより、径小部分と径大部分との間に、ストッパ部２６がシールパッキン２２を介して当接可能なストッパ面２１ｂが形成されている。シリンダ部２１の後端面には、洗浄水入口２４が設けられ、シリンダ部２１の先端面には、開口部２１ａが設けられている。シリンダ部２１の内部空間が温度変動緩衝部２８となる。洗浄水入口２４は、シリンダ部２１の中心軸とは異なる位置に偏心して設けられている。洗浄水入口２４は、図２０の切替弁１４の洗浄水出口１４３ｂに接続されている。
【０１６７】
ピストン部２０は、ストッパ部２６が温度変動緩衝部２８内に位置し、先端部が開口部２１ａから突出するように、シリンダ部２１内に移動可能に挿入されている。
【０１６８】
さらに、スプリング２３は、ピストン部２０のストッパ部２６とシリンダ部２１の開口部２１ａの周縁との間に配設されており、ピストン部２０をシリンダ部２１の後端側に付勢する。
【０１６９】
ピストン部２０のストッパ部２６の外周面とシリンダ部２１の内周面との間に微小隙間が形成され、ピストン部２０の外周面とシリンダ部２１の開口部２１ａの内周面との間に微小隙間が形成されている。
【０１７０】
次いで、図２３のおしりノズル１の動作について説明する。図２４は図２３のおしりノズル１の動作を説明するための断面図である。
【０１７１】
まず、図２４（ａ）に示すように、シリンダ部２１の洗浄水入口２４より洗浄水が供給されない場合、ピストン部２０が、スプリング２３の弾性力により矢印Ｘの方向と逆方向に後退し、シリンダ部２１内に収容されている。その結果、ピストン部２０は、シリンダ部２１の開口部２１ａより最も突出していない状態となる。このとき、シリンダ部２１内には、温度変動緩衝部２８が形成されない。
【０１７２】
次いで、図２４（ｂ）に示すように、シリンダ部２１の洗浄水入口２４より洗浄水の供給が開始された場合、洗浄水の圧力によりピストン部２０がスプリング２３の弾性力に抗して矢印Ｘの方向に徐々に前進する。それにより、シリンダ部２１内に温度変動緩衝部２８が形成されるとともに温度変動緩衝部２８に洗浄水が流入する。
【０１７３】
洗浄水入口２４がシリンダ部２１の中心軸に対して偏心した位置に設けられているので、温度変動緩衝部２８に流入した洗浄水は、矢印Ｖで示すように渦巻状に還流する。温度変動緩衝部２８の洗浄水の一部は、ピストン部２０のストッパ部２６の外周面とシリンダ部２１の内周面との間の微小隙間を通して、ピストン部２０の外周面とシリンダ部２１の開口部２１ａの内周面との間の微小隙間から流れ出るとともに、ピストン部２０の流路２７を通して噴出孔２５から噴出される。
【０１７４】
ピストン部２０がさらに前進すると、図２４（ｃ）に示すように、ストッパ部２６がシールパッキン２２を介してシリンダ部２１のストッパ面２１ｂに水密に接触する。それにより、ピストン部２０のストッパ部２６の外周面とシリンダ部２１の内周面との間の微小隙間からピストン部２０の外周面とシリンダ部２１の開口部２１ａの内周面との間の微小隙間に至る流路が遮断される。したがって、温度変動緩衝部２８の洗浄水が、ピストン部２０内の流路２７を通して噴出孔２５のみから噴出される。
【０１７５】
図２５（ａ）〜（ｃ）は、第２の実施の形態におけるおしりノズル１の噴出孔２５より噴出される洗浄水の説明図である。
【０１７６】
図２５（ａ）は、噴出形態調整片２９ａの先端が噴出孔２５から取り出された場合の洗浄水の噴出形態を表した模式図である。噴出形態調整片２９ａの先端が噴出孔２５から取り出された状態では、噴出形態調整片２９ａの外周面と噴出孔２５の距離が十分大きいため、洗浄水は噴出形態調整片２９ａ外周面の影響を受けない。したがって、噴出孔２５から噴出される洗浄水の噴出形態は破線で示すように直線流となる。
【０１７７】
図２５（ｂ）は、噴出形態調整片２９ａの先端が噴出孔２５内に挿入された場合の洗浄水の噴出形態を表した模式図である。噴出形態調整片２９ａの先端が噴出孔２５内に挿入された状態では、噴出形態調整片２９ａの外周面と噴出孔２５の距離が小さくなるため、洗浄水は噴出形態調整片２９ａの円錐状の外周面に沿って流れ、矢印Ｗ２，Ｗ３で示すように噴出孔２５から広がるように噴出される。それにより、破線で示すように広がりを持った噴流として噴出される。図２５（ｃ）に示すように、噴出孔２５から噴出される洗浄水の断面は円形状となる。ワイヤ２９ｃにより噴出孔２５内での噴出形態調整片２９ａの位置を調整することにより、噴出孔２５から噴出される洗浄水の広がり角度を変化させることができる。それにより、被洗浄面の洗浄面積を変化させることができる。
【０１７８】
図２６（ａ）〜（ｃ）は、第２の実施の形態におけるおしりノズル１に設けられた噴出形態調整片の他の例を示す図である。図２６の噴出形態調整片２９ａは逆円錐台状の外周面を有する。噴出形態調整片２９ａはバネ２９ｂにより噴出孔２５から押し出されるように付勢されている。図２０のモータＭ０によりワイヤ２９ｃを矢印ｚの方向に引っ張ることによりバネ２９ｂの弾性に抗して噴出形態調整片２９ａの位置を調整することができる。
【０１７９】
図２６（ａ）は、噴出形態調整片２９ａが噴出孔２５から押し出された場合の洗浄水の噴出形態を表した模式図である。噴出形態調整片２９ａが噴出孔２５から押し出された状態では、噴出形態調整片２９ａ外周面と噴出孔２５の距離が十分大きいため、洗浄水は噴出形態調整片２９ａ外周面の影響を受けない。したがって、噴出孔２５から噴出される洗浄水の噴出形態は破線で示すように直線流となる。
【０１８０】
図２６（ｂ）は、噴出形態調整片２９ａが噴出孔２５に挿入された場合の洗浄水の噴出形態を表した模式図である。噴出形態調整片２９ａが噴出孔２５に挿入された状態では、噴出形態調整片２９ａの外周と噴出孔２５の距離が小さくさるため、洗浄水は噴出形態調整変２９ａの逆円錐台状の外周面に沿って流れ、矢印ｗ３，ｗ４で示すように噴出孔２５から広がるように噴出される。それにより、破線で示すように広がりを持った噴流として噴出される。図２６（ｃ）に示すように、噴出孔２５から噴出される洗浄水の断面は円環状となる。ワイヤ２９ｃにより噴出孔２５内での噴出形態調整片２９ａの位置を調整することにより、噴出孔２５から噴出される洗浄水の広がり角度を変化させることができる。それにより、被洗浄面の洗浄面積を変化させることができる。
【０１８１】
本実施の形態に係る衛生洗浄装置１００においては、噴出形態調整片２９ａおよび２９ｂが可動部材に相当し、モータＭ０が駆動手段および電気的駆動部に相当する。
【０１８２】
（第３の実施の形態）
以下、第３の実施の形態に係る衛生洗浄装置１００の本体部２００ｂについての説明を行う。
【０１８３】
図２７は第３の実施の形態に係る衛生洗浄装置１００の本体部２００ｂの構成の一例を示す模式図である。
【０１８４】
図２７に示す本体部２００ｂが図２０に示す本体部２００ａと異なるのは、便器洗浄ノズル４４と、便器洗浄ノズル４４とノズル洗浄ノズル３の流路を切り替える切替弁１５と、切替弁１５を制御するモータＭ１とが設けられている点である。
【０１８５】
制御部４は図２７の遠隔操作装置３００から無線送信される信号に基づき、モータＭ１を回転させる。それにより、切替弁１５はノズル部３０の便器洗浄ノズル４とノズル洗浄ノズル３のいずれか一方に洗浄水を供給する。
【０１８６】
図２８は、便器洗浄ノズル４４から洗浄水が噴出される様子を描いた模式図である。遠隔操作装置３００からの信号により便器洗浄ノズル４４が移動して、洗浄水が便器６００に向かって下向きに噴出される。便器洗浄ノズル４４は、図１５、図２５、図２６のいずれかで説明した  形態をしたノズルとしてもよい。これにより、便器洗浄を効果的に行うことできる。
【０１８７】
本発明に係る衛生洗浄装置は、給水源から供給される洗浄水を人体に噴出する衛生洗浄装置であって、洗浄水を噴出するとともに噴出する洗浄水の広がり角度を変更可能な噴出手段と、給水源から供給される洗浄水に周期的な圧力変動を与えつつ洗浄水を加圧して噴出手段から噴出させる加圧手段と、噴出手段から噴出される洗浄水の広がり角度を制御する制御手段とを備えるものである。
【０１８８】
本発明に係る衛生洗浄装置においては、給水源から供給される洗浄水が加圧手段により周期的な圧力変動を与えられつつ加圧される。したがって、少ない流量でも洗浄刺激効果が高くなる。
【０１８９】
また、噴出手段から噴出される洗浄水は広がり角度制御手段により広がり角度が制御されて人体に向けて噴出される。したがって、使用者は流量の調整だけではなく好みや体調に応じた種々の洗浄感および洗浄力を得ることができる。
【０１９０】
噴出手段から噴出される洗浄水の広がり角度を設定するための広がり角度設定手段をさらに備え、制御手段は、広がり角度設定手段の設定に基づいて噴出手段から噴出される洗浄水の広がり角度を制御してもよい。この場合、洗浄水の広がり角度設定手段の設定に基づいて噴出手段による洗浄水の広がり角度を制御することができる。したがって、使用者は噴出手段から噴出される洗浄水の広がり角度を調整し、洗浄面積を変化させることができる。
【０１９１】
噴出手段から噴出される洗浄水の広がり角度を設定するための広がり角度設定手段を備え、広がり角度設定手段は、洗浄水の広がり角度を段階的に変更可能なスイッチを備えてもよい。この場合、広がり角度設定手段の設定に基づいて噴出手段から噴出される洗浄水の広がり角度を段階的に制御することができる。したがって、使用者は洗浄水の広がり角度および洗浄面積を好みにより簡単に選択することができる。
【０１９２】
広がり角度設定手段は、洗浄水の広がり角度を連続的に変更可能なスイッチを備えてもよい。この場合、広がり角度設定手段の設定に基づいて噴出手段から噴出される洗浄水の広がり角度を連続的に制御することができる。したがって、使用者は洗浄水の広がり角度および洗浄面積を好みにより簡単に調整することができる。
【０１９３】
制御手段は、広がり角度設定手段の設定に基づいて噴出手段から噴出される洗浄水の広がり角度を連続的に拡大または縮小させてもよい。この場合、広がり角度設定手段の設定に基づいて噴出手段から噴出される洗浄水の広がり角度を連続的に拡大または縮小することができる。したがって、使用者は洗浄水の広がり角度および洗浄面積を好みにより連続的に調整することができる。
【０１９４】
噴出手段から噴出される洗浄水の広がり角度の連続的な拡大または縮小を繰り返す動作を指令する指令手段をさらに備え、制御手段は、指令手段の指令に応答して噴出手段から噴出される洗浄水の広がり角度を変化させてもよい。この場合、指令手段からの指令により噴出手段から噴出される洗浄水の広がり角度を連続的に拡大または縮小を繰り返すことができる。したがって、使用者は広範囲に渡って繰り返し洗浄することができる。
【０１９５】
制御手段は、洗浄水広がり角度の拡大速度よりも縮小速度を小さくしてもよい。この場合、噴出手段から噴出される洗浄水の広がり角度は拡大速度よりも縮小速度の方が小さくなる。したがって、洗浄水が外側から内側に向かって汚れを落とすように作用し、被洗浄面の外周への汚れ飛散を防止することができる。
【０１９６】
噴出手段は、洗浄水を断面円状に噴出してもよい。この場合、噴出手段から噴出される洗浄水の断面が円状となる。したがって、使用者は被洗浄面を円状に洗浄することができる。その結果、使用者は好みや体調に応じた種々の洗浄感を得ることができる。
【０１９７】
噴出手段は、洗浄水を断面円環状に噴出してもよい。この場合、噴出手段から噴出される洗浄水の断面が円環状となる。したがって、使用者は被洗浄面を円環状に洗浄することができる。その結果、使用者は好みや体調に応じた種々の洗浄感を得ることができる。
【０１９８】
噴出手段は、噴出孔と、加圧手段から供給される洗浄水を噴出孔に導く第１の流路と、加圧手段から供給される洗浄水を噴出孔に導く第２の流路と、第１の流路の洗浄水に回転流を生成する回転流生成手段と、第１の流路および第２の流路に供給される洗浄水の流量を調整する流量調整手段とを含んでもよい。
【０１９９】
この場合、噴出手段の第１の流路および第２の流路を介して噴出孔より洗浄水を噴出させることができる。また、第１の流路と第２の流路とが別個に形成されるため、第１の流路および第２の流路を流れる洗浄水の流量をそれぞれ独立に変化させることができる。さらに、第１の流路において洗浄水の回転流を生成することができるため、噴出孔より分散旋回流を噴出させることができる。したがって、第１の流路および第２の流路を流れる洗浄水の流量を調整することにより使用者の体調や好みに応じて直線流および分散旋回流のいずれか一方、または直線流と分散旋回流との混合流を噴出させることができる。それにより、洗浄水の広がり角度および洗浄面積を変化させることができる。
【０２００】
噴出手段は、噴出孔と、加圧手段から供給される洗浄水を噴出孔に導く流路と、噴出孔内に移動可能に設けられた円錐状の外周面を有する可動部材とを有し、制御手段は、可動部材を移動させる駆動手段を含んでもよい。この場合、噴出孔内に設けた円錐状の可動部材が噴出孔から取り出されると洗浄水は可動部材の影響を受けずに直線流となる。また、可動部材が噴出孔に挿入されると洗浄水は可動部材の外周面に沿って噴出されるため、断面が円状の分散流となる。したがって、可動部材の位置により洗浄水の広がり角度が変化するとともに、洗浄水の密度が変化し、流量のみの調整とは異なる洗浄感が得られる。その結果、使用者は好みや体調に応じた種々の洗浄感および洗浄力を得ることができる。
【０２０１】
噴出手段は、噴出孔と、加圧手段から供給される洗浄水を噴出孔に導く流路と、噴出孔内に移動可能に設けられた逆円錐台状の外周面を有する可動部材とを有し、制御手段は、可動部材を移動させる駆動手段を含んでもよい。
【０２０２】
この場合、噴出孔内に設けた逆円錐台状の可動部材が噴出孔から取り出されると洗浄水は可動部材の影響を受けずに直線流となる。また、可動部材が噴出孔に挿入されると洗浄水は可動部材の外周面に沿って噴出されるため、断面が円環状の分散流となる。したがって、可動部材の位置により洗浄水の広がり角度が変化するとともに、洗浄水の密度が変化し、流量のみの調整とは異なる洗浄感が得られる。その結果、使用者は好みや体調に応じた種々の洗浄感および洗浄力を得ることができる。
【０２０３】
加圧手段は、往復運動を行う加圧部材を有する往復動ポンプを備えてもよい。この場合、往復動ポンプにより断続加圧させた洗浄水を噴出孔から噴出させることができる。したがって、少ない流量の洗浄水でも人体に高い洗浄感および洗浄力を与えることができる。
【０２０４】
洗浄水の圧力変動の態様を設定するための圧力変動設定手段をさらに備え、制御手段は、圧力変動設定手段の設定に基づいて加圧手段による圧力変動の態様を制御してもよい。ここで、圧力変動の態様とは、圧力変動の周期（周波数）、圧力変動幅および中心圧力をいう。
【０２０５】
この場合、圧力設定手段の設定に基づいて噴出手段から噴出される洗浄水の圧力変動の態様を調整することができる。したがって、使用者は体調や好みに応じた種々の洗浄感および洗浄力を得ることができる。
【０２０６】
圧力変動設定手段は、圧力変動の態様を段階的に変化させるスイッチを含んでもよい。この場合、圧力変動設定手段の設定に基づいて洗浄水の圧力変動の態様を段階的に制御することができる。したがって、使用者は体調や好みに応じた種々の洗浄感および洗浄力を簡単に選択することができる。
【０２０７】
圧力変動設定手段は、圧力変動の態様を連続的に変化させるスイッチを含んでもよい。この場合、圧力変動設定手段の設定に基づいて洗浄水の圧力変動の態様を連続的に制御することができる。したがって、使用者は体調や好みに応じた種々の洗浄感を簡単に調整することができる。
【０２０８】
制御手段は、圧力変動設定手段の設定に基づいて噴出手段から噴出される洗浄水の圧力変動の周期、変動幅および中心圧力の少なくとも１つを連続的に増加または減少させてもよい。この場合、圧力変動設定手段の設定に基づいて噴出手段から噴出される洗浄水の圧力変動の周期、変動幅および中心圧力の少なくとも１つを連続的に増加または減少させることができる。したがって、使用者は体調や好みに応じた種々の洗浄感を得ることができる。
【０２０９】
噴出手段から噴出される洗浄水の圧力変動の周期、変動幅および中心圧力の少なくとも１つの連続的な増加または減少を繰り返す動作を指令する指令手段をさらに備え、制御手段は、指令手段に応答して噴出手段から噴出される洗浄水の圧力変動を制御してもよい。この場合、指令手段からの指令に基づいて噴出手段から噴出される洗浄水の圧力変動の周期、変動幅および中心圧力の少なくとも１つを連続的に増加および減少させる動作を繰り返すことができる。したがって、使用者は皮膚の弛緩緊張洗浄ができる。
【０２１０】
噴出手段は、人体に洗浄水を噴出する人体洗浄ノズル装置を含んでもよい。この場合、人体の局部の洗浄面積を変化させることができる。
【０２１１】
噴出手段は、便器に洗浄水を噴出する便器洗浄ノズル装置を含んでもよい。この場合、便器の洗浄面積を変化させることができる。したがって、便器の洗浄を効果的に行うことができる。
【０２１２】
制御手段は、噴出手段から噴出される洗浄水の広がり角度を制御する電気的駆動部を含んでもよい。この場合、電気的駆動部により噴出手段から噴出される洗浄水の広がり角度を調整することができる。したがって、使用者は遠隔操作または自動で噴出手段から噴出される洗浄水の広がり角度を変化させることができる。
【０２１３】
噴出手段は、複数のノズル装置と、複数のノズル装置のいずれかに選択的に洗浄水を供給する切替手段とを含み、電気的駆動部は、切替手段を切替えるものである。この場合、電気的駆動部は噴出手段から噴出される洗浄水の広がり角度を調整すると同時に洗浄水を供給するノズル装置を選択的に切り替えることができる。したがって、電気的駆動部を複数設ける必要がなく、省スペース化が実現できる。
【０２１４】
給水源から供給された洗浄水を加熱して加圧手段に供給する加熱手段をさらに備えてもよい。この場合、給水源から供給された洗浄水を加熱手段により加熱して加圧手段に供給することができる。したがって、噴出手段の噴出孔より適度に加熱された洗浄水を噴出させることができる。
【０２１５】
加熱手段は、給水源から供給された洗浄水を流動させつつ加熱する瞬間式加熱装置でもよい。この場合、瞬間式加熱装置により洗浄水が流動されつつ瞬間的に加熱される。したがって、衛生洗浄装置の使用時にのみ洗浄水の加熱を行うため、消費電力を最小限に抑えることができる。また、洗浄水を貯える貯水タンクなどが不必要となるため省スペース化が実現できる。さらに、洗浄時間が長くなった場合でも、洗浄水の温度の低下が生じない。
【０２１６】
【発明の効果】
本発明に係る衛生洗浄装置においては、給水源から供給される洗浄水が加圧手段により周期的な圧力変動を与えられつつ加圧される。したがって、少ない流量でも洗浄刺激効果が高くなる。
【０２１７】
また、噴出手段から噴出される洗浄水は広がり角度制御手段により広がり角度が制御されて人体に向けて噴出される。したがって、使用者は流量の調整だけではなく好みや体調に応じた種々の洗浄感および洗浄力を得ることができる。
【手続補正３】
【補正対象書類名】明細書
【補正対象項目名】図面の簡単な説明
【補正方法】変更
【補正の内容】
【図面の簡単な説明】
【図１】
第１の実施の形態に係る衛生洗浄装置を便器に装着した状態を示す斜視図
【図２】
図１の遠隔操作装置の一例を示す模式図
【図３】
第1の実施の形態に係る衛生洗浄装置の本体部の構成を示す模式図
【図４】
熱交換器の構造の一例を示す一部切り欠き断面図
【図５】
本実施の形態に係るポンプの構成を示す模式的断面図
【図６】
アンブレラパッキンの動作を説明するための模式図
【図７】
図５のポンプの圧力変化を示す図
【図８】
第１の実施の形態において設定された水勢の違いによるポンプの圧力変化を示す図
【図９】
（ａ）は切替弁の縦断面図であり、（ｂ）は（ａ）の切替弁のＡ−Ａ線断面図であり、（ｃ）は（ａ）の切替弁のＢ−Ｂ線断面図であり、（ｄ）は（ａ）の切替弁のＣ−Ｃ線断面図
【図１０】
図９の切替弁の動作を示す断面図
【図１１】
図１０の切替弁の洗浄水出口からおしりノズルに流出する洗浄水の流量、洗浄水出口からビデノズルに流出する洗浄水の流量および洗浄水出口からノズル洗浄ノズルに流出する洗浄水の流量を示す図
【図１２】
図３のノズル部および切替弁の模式的断面図
【図１３】
図１２のおしりノズルの動作を説明するための断面図
【図１４】
図１２のビデノズルの動作を説明するための断面図
【図１５】
図１２のおしりノズルのピストン部の先端部の模式図
【図１６】
切替弁の回転角度、ポンプの駆動状態および洗浄水を噴出するノズルの関係の説明図
【図１７】
遠隔操作装置の操作に基づく衛生洗浄装置の動作の一例を示す図
【図１８】
おしりノズルから噴出される洗浄水の噴出形態の変化を示した模式図
【図１９】
洗浄水の流量を一定とした場合における洗浄面積に対する洗浄体感強度を示す図
【図２０】
第２の実施の形態に係る衛生洗浄装置の本体部の構成を示す模式図
【図２１】
（ａ）切替弁の縦断面図、（ｂ）切替弁のＡ−Ａ線断面図、（ｃ）切替弁のＢ−Ｂ線断面図
【図２２】
図２１の切替弁の動作を示す断面図
【図２３】
図２０のノズル部のおしりノズルの断面図
【図２４】
図２０のおしりノズルの動作を説明するための断面図
【図２５】
第２の実施の形態に係るおしりノズルの噴出孔から噴出される洗浄水を説明するための模式図
【図２６】
第２の実施の形態に係るおしりノズルに設けられた噴出形態調整片のその他の例を示す図
【図２７】
第３の実施の形態に係る衛生洗浄装置の本体部の構成を示す模式図
【図２８】
便器洗浄ノズルから洗浄水が噴出される様子を説明する模式図
【符号の説明】
１  おしりノズル
２  ビデノズル
４  制御部
１１  熱交換器
１３  ポンプ
１４，１５  切替弁
２５  噴出孔
２９  円筒状渦室
２９ａ  噴出形態調整片
２９ｂ  バネ
２９ｃ  ワイヤ
３０  ノズル部
１３０，１４１  モータ
１３９  円柱状空間
１３９ａ，１３９ｂ  ポンプ室
２００  本体部
２０１  水道配管
３００  遠隔操作装置
３０２  調整スイッチ
３０２ａ，３０２ｂ，３０２ｃ  水勢調整スイッチ
３０２ｄ，３０２ｅ，３０２ｆ  洗浄面積調整スイッチ
３０３  面積変化スイッチ
３０４  水勢変化スイッチ
５０５  セラミックヒータ
【手続補正４】
【補正対象書類名】図面
【補正対象項目名】図１４
【補正方法】変更
【補正の内容】
【図１４】
2004068305.tif 000001
【手続補正５】
【補正対象書類名】図面
【補正対象項目名】図２７
【補正方法】変更
【補正の内容】
【図２７】
2004068305.tif 000002
【手続補正６】
【補正対象書類名】図面
【補正対象項目名】図２８
【補正方法】変更
【補正の内容】
【図２８】
2004068305.tif 000003